(57)【特許請求の範囲】
【請求項１】
１つのコンテンツのそれぞれ１又は複数の再生区間を指定すると共に、当該指定した上記再生区間の再生を指示するように生成された複数種類のプレイリストを対応付けて記憶する記憶手段と、
上記記憶手段から読み出した複数種類の上記プレイリストの何れか１つに従ってプレイリスト再生を行う再生手段と、
上記プレイリスト再生に用いている上記プレイリストを、当該プレイリストが指定する上記１又は複数の再生区間を時間軸に沿って示すように所定の表示部に表示するプレイリスト表示制御手段と、
上記プレイリスト再生を行っているときユーザからの切替指示に応じて、再生使用中の上記プレイリストを他の上記プレイリストに切り替え、上記再生手段により当該他の上記プレイリストに従ってプレイリスト再生を行わせると共に、上記プレイリスト表示手段により再生使用中の上記プレイリストから切り替えて他の上記プレイリストを上記表示部に表示させるプレイリスト切替制御手段と
を具える情報処理装置。
【請求項２】
上記プレイリスト切替制御手段は、再生使用中の上記プレイリストから他の上記プレイリストへ切り替えて上記プレイリスト再生を行う際、再生使用中の上記プレイリストに従い再生していた再生時点に対応する再生区間が他の上記プレイリストに存在しない場合、上記再生時点に最も近い当該他の上記プレイリストにおける再生区間の先頭から上記プレイリスト再生を開始する
請求項１に記載の情報処理装置。
【請求項３】
上記プレイリスト切替制御手段は、上記再生時点から未来へ向かって最も近い他の上記プレイリストにおける再生区間の先頭から上記プレイリスト再生を開始する
請求項２に記載の情報処理装置。
【請求項４】
上記プレイリスト切替制御手段は、上記再生時点から未来へ向かって最も近い他の上記プレイリストにおける再生区間の先頭から上記プレイリスト再生を開始する際、上記再生時点から他の上記プレイリストにおける再生区間の先頭までの間について上記コンテンツを早送り再生する
請求項３に記載の情報処理装置。
【請求項５】
上記プレイリスト切替制御手段は、上記再生時点から過去へ向かって最も近い他の上記プレイリストにおける再生区間の先頭から上記プレイリスト再生を開始する
請求項２に記載の情報処理装置。
【請求項６】
上記プレイリスト切替制御手段は、上記再生時点から過去へ向かって最も近い他の上記プレイリストにおける再生区間の先頭から上記プレイリスト再生を開始する際、上記再生時点から他の上記プレイリストにおける再生区間の先頭までの間について上記コンテンツを早戻し再生する
請求項５に記載の情報処理装置。
【請求項７】
上記プレイリスト切替制御手段は、上記再生中プレイリストから他の上記プレイリストに切り替えてプレイリスト再生を行ったときの再生区間ごとの再生履歴に基づいて新たなユーザプレイリストを生成する
請求項１に記載の情報処理装置。
【請求項８】
上記プレイリスト切替制御手段は、再生使用中の上記プレイリストから他の上記プレイリストに切り替えてプレイリスト再生を行ったときの再生区間を用いて新たなユーザプレイリストを生成する
請求項１に記載の情報処理装置。
【請求項９】
１つのコンテンツのそれぞれ１又は複数の再生区間を指定すると共に、当該指定した上記再生区間の再生を指示するように生成され、記憶手段に対応付けて記憶された複数種類のプレイリストを当該記憶手段から読み出し、複数種類の上記プレイリストの何れか１つに従って所定の再生手段によりプレイリスト再生を行うプレイリスト再生ステップと、
上記プレイリスト再生に用いている上記プレイリストを、所定のプレイリスト表示制御手段により当該プレイリストが指定する上記１又は複数の再生区間を時間軸に沿って示すように所定の表示部に表示するプレイリスト表示ステップと、
上記プレイリスト再生を行っているときユーザからの切替指示に応じて、所定のプレイリスト切替制御手段により、再生使用中の上記プレイリストを他の上記プレイリストに切り替えた後、上記再生手段により当該他の上記プレイリストに従ってプレイリスト再生を行わせると共に、上記プレイリスト表示制御手段により再生使用中の上記プレイリストから切り替えて他の上記プレイリストを上記表示部に表示させるプレイリスト切替制御ステップと
を有するプレイリスト表示方法。
【発明の詳細な説明】
【技術分野】
【０００１】
本発明は、情報処理装置及びプレイリスト表示方法に関し、例えばテレビジョン番組を録画し、又は再生する録画再生装置に適用して好適なものである。
【背景技術】
【０００２】
従来、テレビジョン放送により放送されるテレビジョン番組をハードディスクドライブ（ハードディスクドライブ）等に録画し、ユーザの操作に応じて再生する例えばハードディスクレコーダのような録画再生装置が普及しつつある。
【０００３】
かかる録画再生装置においては、録画したテレビジョン番組（以下、これをコンテンツと呼ぶ。）の画像信号や音声信号を解析することによって特徴を検出し、その特徴に基づいてチャプタを自動的に設定することにより、コマーシャルと番組本編とをチャプタによって区切るようになされている。
【０００４】
また録画再生装置においては、コンテンツの特徴から特定される代表的シーンだけを集めたプレイリストに従って当該代表的シーンをダイジェスト再生することが出来るようにもなされている。
【０００５】
具体的に録画再生装置では、例えば当該コンテンツがサッカーの試合であれば、図１（Ａ）に示すように、ゴールシーンだけを集めたゴールシーンプレイリストに従ってゴールシーンだけをダイジェスト再生することができる。
【０００６】
また録画再生装置では、図１（Ｂ）に示すように、歓声が大きくなった歓声シーンだけを集めた歓声シーンプレイリストに従って歓声シーンだけをプレイリスト再生（ダイジェスト再生）することが考えられる。
【０００７】
このように録画再生装置では、１つのコンテンツに対して複数種類のプレイリスト（ゴールシーンプレイリスト及び歓声シーンプレイリスト）を生成し、ユーザの好みに合わせてゴールシーンプレイリスト又は歓声シーンプレイリストを選択してプレイリスト再生（ダイジェスト再生）することが出来るようになされている。
【０００８】
因みに、プレイリストに含まれる複数の楽曲について当該楽曲の関連情報を再生順にみたときの推移を示すストーリー情報を基に、複数のプレイリストの中からユーザの好みに合ったプレイリストを抽出して提示するプレイリスト検索装置が提案されている（例えば特許文献１）。
【先行技術文献】
【特許文献】
【０００９】
【特許文献１】特開2007-287256公報
【発明の概要】
【発明が解決しようとする課題】
【００１０】
ところで、上述した構成の録画再生装置においては、１つのコンテンツに対して複数種類のプレイリスト（ゴールシーンプレイリスト及び歓声シーンプレイリスト）が互いに独立して成立しており、図１（Ｃ）に示すように、双方のプレイリストを合成して提示する場合、見にくくなると共にユーザにとっては利用しずらいという問題があった。
【００１１】
特に、ゴールシーンプレイリストの再生区間ＰＰ１〜ＰＰ３と、歓声シーンプレイリストの再生区間ＰＰ１１〜ＰＰ１４とが、時間軸ｔの狭い範囲内で互いに重ねられた状態で表示される部分が多くなり（図１（Ｃ））、ユーザに理解させ難いという問題があった。
【００１２】
本発明は以上の点を考慮してなされたもので、ユーザにとって有用な複数種類のプレイリストを直感的かつ理解させ易く提示し得る情報処理装置及びプレイリスト表示方法を提案しようとするものである。
【課題を解決するための手段】
【００１３】
かかる課題を解決するため本発明の情報処理装置及びプレイリスト表示方法では、１つのコンテンツのそれぞれ１又は複数の再生区間を指定すると共に、当該指定した再生区間の再生を指示するように生成され、記憶手段に対応付けて記憶された複数種類のプレイリストを当該記憶手段から読み出し、複数種類のプレイリストの何れか１つに従ってプレイリスト再生を行い、プレイリスト再生に用いているプレイリストを、当該プレイリストが指定する１又は複数の再生区間を時間軸に沿って示すように所定の表示部に表示し、プレイリスト再生を行っているときユーザからの切替指示に応じて、再生使用中のプレイリストを他のプレイリストに切り替えた後、当該他のプレイリストに従ってプレイリスト再生を行わせると共に、再生使用中のプレイリストから切り替えて他のプレイリストを表示部に表示させるようにする。
【００１４】
これにより、何れかのプレイリストと他のプレイリストとを交互に切り替えてプレイリスト再生しながら、そのプレイリスト再生に用いているプレイリストを切り替えて表示することができるので、どのプレイリストに従って現在プレイリスト再生が行われているかをユーザに対して瞬時に認識させることができる。
【発明の効果】
【００１５】
本発明によれば、何れかのプレイリストと他のプレイリストとを交互に切り替えてプレイリスト再生しながら、そのプレイリスト再生に用いているプレイリストを切り替えて表示することができるので、どのプレイリストに従って現在プレイリスト再生が行われているかをユーザに対して瞬時に認識させることができ、かくしてユーザにとって有用な複数種類のプレイリストを直感的かつ理解させ易く提示し得る情報処理装置及びプレイリスト表示方法を実現することができる。
【図面の簡単な説明】
【００１６】
【図１】従来の複数種類のプレイリストに対する取扱いの説明に供する略線図である。
【図２】本発明における録画再生装置の全体構成を示す略線的斜視図である。
【図３】録画再生装置の回路構成を示す略線的ブロック図である。
【図４】マルチプレイリストの階層構造を示す略線図である。
【図５】ルートプレイリストと各種プレイリストを示す略線図である。
【図６】ルートプレイリスト（親）からプレイリスト（子）の生成手法を示す略線図である。
【図７】一般再生切替処理とプレイリスト再生切替処理の説明に供する略線図である。
【図８】第１のプレイリスト再生切替処理パターンを示す略線図である。
【図９】第２のプレイリスト再生切替処理パターンを示す略線図である。
【図１０】第３のプレイリスト再生切替処理パターンを示す略線図である。
【図１１】プレイリスト再生切替処理手順を示すフローチャートである。
【図１２】プレイリスト再生切替表示例（１）を示す略線図である。
【図１３】プレイリスト再生切替表示例（２）を示す略線図である。
【図１４】プレイリスト再生切替表示例（３）を示す略線図である。
【図１５】ユーザプレイリストの自動生成手法の説明に供する略線図である。
【図１６】ユーザプレイリスト自動生成処理手順を示すフローチャートである。
【図１７】ユーザプレイリストの手動生成手法の説明に供する略線図である。
【図１８】空の状態のユーザプレイリストを示す略線図である。
【図１９】ユーザプレイリスト生成過程（１）を示す略線図である。
【図２０】ユーザプレイリスト生成過程（２）を示す略線図である。
【図２１】ユーザプレイリスト生成過程（３）を示す略線図である。
【図２２】ユーザプレイリスト生成過程（４）を示す略線図である。
【図２３】ユーザプレイリスト生成過程（５）を示す略線図である。
【図２４】他の実施の形態におけるプレイリスト再生切替処理パターン（１）を示す略線図である。
【図２５】他の実施の形態におけるプレイリスト再生切替処理パターン（２）を示す略線図である。
【図２６】他の実施の形態におけるプレイリスト再生切替処理パターン（３）を示す略線図である。
【図２７】他の実施の形態におけるプレイリスト再生切替処理パターン（４）を示す略線図である。
【図２８】他の実施の形態におけるユーザプレイリストの自動生成手法の説明に供する略線図である。
【発明を実施するための形態】
【００１７】
以下、発明を実施するための形態について説明する。なお、説明は以下の順序で行う。
１．実施の形態
２．他の実施の形態
【００１８】
＜１．実施の形態＞
［１−１．録画再生装置の全体構成］
図２に示すように、録画再生装置１は例えばハードディスクドライブを内蔵するブルーレイディスクレコーダであり、ＨＤＭＩ(High Definition Multimedia Interface)ケーブル１Ａを介してテレビジョン受像機１００と接続されている。
【００１９】
この録画再生装置１は、ＢＳ(Broadcasting Satellite)／ＣＳ(Communication Satellite)ディジタル放送、地上ディジタル放送、又はインターネットを介して行われる放送によって提供されるコンテンツの映像及び音声をテレビジョン受像機１００から出力させたり、当該コンテンツをハードディスクドライブに録画させる。
【００２０】
また録画再生装置１は、各種放送波やインターネットを介して放送局から配信されるＥＰＧ(Electric Program Guide)データを取得して管理し、ユーザからの要請に応じてＥＰＧデータに基づく電子番組ガイドをテレビジョン受像機１００に表示させる。なお、このＥＰＧデータには、それぞれのコンテンツに対して、コンテンツタイトル、放送日時、ジャンル、出演者等の当該コンテンツに関する情報が含まれている。
【００２１】
さらに録画再生装置１は、リモートコントローラ（以下、これをリモコンと呼ぶ。）４の操作ボタン群４Ａに対するユーザの押下操作に応じて赤外線送信される各種コマンドを受け取り、当該各種コマンドに応じた所定の処理を実行するようになされている。
【００２２】
なお、リモコン４には、プレイリスト切替ボタン４Ｂ及びプレイリスト登録ボタン４Ｃが設けられており、プレイリスト切替ボタン４Ｂ及びプレイリスト登録ボタン４Ｃがユーザによって押下操作されたときには、後述するプレイリスト再生切替処理及びユーザプレイリスト生成処理等を実行するようになされている。
【００２３】
［１−２．録画再生装置の回路構成］
図３に示すように録画再生装置１は、制御部２により全体を統括制御するようになされており、当該制御部２と各部とがバス３を介して接続されている。制御部２は、ＣＰＵ(Central Processing Unit)２Ａを中心に構成され、各種プログラムが格納されたＲＯＭ(Read Only Memory)２Ｂ及びＣＰＵ２Ａのワークエリアとして利用されるＲＡＭ(Random Access Memory)２Ｃが設けられている。
【００２４】
制御部２は、ＲＯＭ２Ｂから読み出した録画プログラムや再生制御プログラム等をＲＡＭ２Ｃに展開して実行することにより、テレビジョン番組であるコンテンツの録画処理やプレイリスト再生処理等の各種処理を実行し得るようになされている。
【００２５】
リモコン４は、放送チャンネルを指定するためのチャンネルボタン（図示せず）、操作ボタン群４Ａ、プレイリスト切替ボタン４Ｂ及びプレイリスト登録ボタン４Ｃ等が設けられており、ユーザによる各ボタンの押下操作に応じた各種命令を赤外線信号により録画再生装置１へ送信するようになされている。
【００２６】
操作部５は、リモコン４から送信される赤外線信号を所定の受光部（図示せず）を介して受信し、それを電気信号でなる指示命令に変換し、バス３を介して当該指示命令を制御部２へ送出する。制御部２は、指示命令に応じて各種処理を実行するようになされている。
【００２７】
例えば、リモコン４のチャンネルボタン（図示せず）が押下操作された場合、赤外線信号を受信した操作部５から制御部２に対してチャンネルを指示するチャンネル指示命令が送出される。これに応じて制御部２は、チューナ部１１に対してチャンネル指示命令に対応したチャンネルを指示するようになされている。
【００２８】
チューナ部１１は、地上ディジタル放送波、ＢＳディジタル放送波及びＣＳディジタル放送波に対応している。このチューナ部１１は、アンテナ１２を介して受信した受信信号のうち制御部２から指示されたチャンネルに相当する搬送周波数帯を選択する。
【００２９】
そしてチューナ部１１は、選択した搬送周波数帯の受信信号に対してＱＰＳＫ(Quadrature Phase Shift Keying)復調処理等や誤り訂正処理等を施すことによりトランスポートストリームＴＳを生成する。
【００３０】
またチューナ部１１は、トランスポートストリームＴＳのうち映像を表すビデオストリーム及び音声を表すオーディオストリームを分離し、これらをエンコーダ／デコーダ１３等へ供給する。以下、説明の都合上、ビデオストリーム及びオーディオストリームをまとめてＡＶストリームＳＴと呼ぶ。
【００３１】
さらにチューナ部１１は、トランスポートストリームＴＳのうちＥＰＧデータ等のデータ放送用の付加情報、コピー制限情報、暗号化のための鍵データとなるライセンス情報等（以下、これらを番組情報と呼ぶ）を分離して制御部２へ供給するようになされている。
【００３２】
エンコーダ／デコーダ１３は、ＭＰＥＧ(Motion Pictures Expert Group)方式等の符号化方式に従ってビデオデータ及びオーディオデータの圧縮符号化処理及び伸張復号化処理を行うようになされている。
【００３３】
実際上、エンコーダ／デコーダ１３は、チューナ部１１から供給されるビデオストリーム及びオーディオストリームをそれぞれデコードしてビデオデータ及びオーディオデータを復元し、これらをビデオ処理部１４及びオーディオ処理部１５へそれぞれ供給する。
【００３４】
ビデオ処理部１４は、ビデオデータを例えばアナログのビデオ信号に変換し、さらに所定の映像処理を施して外部のテレビジョン受像機１００へ送出する。またオーディオ処理部１５は、オーディオデータを例えばアナログのオーディオ信号に変換し、これを当該テレビジョン受像機１００や他のオーディオ機器（図示せず）等へ送出する。
【００３５】
この結果、録画再生装置１は、外部のテレビジョン受像機１００を介してコンテンツの映像及び音声をユーザに視聴させることができる。
【００３６】
ハードディスクドライブ（ＨＤＤ）１６は、例えば５００［ＧＢ］や１［ＴＢ］といった比較的大きな記憶容量を有しており、制御部２の制御に基づき各種データの書込及び読出を行うようになされている。
【００３７】
制御部２は、テレビジョン番組であるコンテンツの受信中にリモコン４の録画ボタンが押下操作された場合、コンテンツをハードディスクドライブ１６に記憶させる録画処理を実行するようになされている。因みに制御部２は、予め指定された予約録画時刻になった場合にも、同様の録画処理（以下これを予約録画処理と呼ぶ）を実行するようになされている。
【００３８】
このとき制御部２は、録画処理として、チューナ部１１により抽出されたＡＶストリームＳＴをハードディスクドライブ１６に記憶させる。
【００３９】
これと共に制御部２は、ＡＶストリームＳＴに対し所定の特徴量検出処理を実行することにより特徴量ＤＳを生成し、これをハードディスクドライブ１６に格納するようになされている。ここで特徴量ＤＳとは、例えばオーディオデータに対して所定の解析処理を施すことにより得られる、コンテンツの再生時間と共に変動する値であり、コンテンツ（テレビジョン番組）における盛り上がりの度合いやシーンの切り替わりが表れた値となっている。
【００４０】
例えば制御部２は、オーディオデータに基づいて音量レベルを監視し、当該音量レベルが所定の閾値を超えたことを検出することにより特徴量ＤＳを生成することができる。
【００４１】
因みに制御部２は、例えば特許文献２に開示された技術を用いることにより、特徴量ＤＳを生成することもできる。
【００４２】
【特許文献２】国際公開ＷＯ２００６／０１６６０５号公報
【００４３】
さらに制御部２は、当該コンテンツ（すなわちテレビジョン番組）について、番組情報に含まれているタイトル名、ジャンル及び出演者等の情報並びに録画日時等でなるタイトル情報ＴＦを生成し、これを当該コンテンツと対応付けてハードディスクドライブ１６に記憶させる。
【００４４】
因みにハードディスクドライブ１６には、コンテンツを格納・管理するコンテンツデータベースＤＢＣ、タイトル情報ＴＦを格納・管理するタイトルデータベースＤＢＴ、及び特徴量ＤＳを格納・管理する特徴量データベースＤＢＳが設けられている。
【００４５】
不揮発性メモリ１７は、例えばＥＥＰＲＯＭ（Electronically Erasable and Programmable Read Only Memory）等でなり、ＣＰＵ２Ａが実行すべき各種プログラム、暗号化処理や復号化処理に必要なデータ等が格納されるようになされている。因みに不揮発性メモリ１７は、記憶容量が比較的小さいものの、データ等の書込及び読出をハードディスクドライブ１６よりも高速で行い得るようになされている。
【００４６】
光ディスクドライブ１８は、例えばＢＤ（Blu-ray Disc、登録商標）方式の光ディスク５０に各種データを書き込み、また当該光ディスク５０から各種データを読み出し得るようになされている。
【００４７】
メモリカードインタフェース（Ｉ／Ｆ）１９は、例えばメモリースティック（登録商標）等の規格に準拠したメモリカード５１に各種データを書き込み、また当該メモリカード５１から各種データを読み出し得るようになされている。
【００４８】
ネットワークインタフェース２０は、Ｅｔｈｅｒｎｅｔ（登録商標）等のネットワークを介して外部機器（図示せず）と通信し、各種データの送受信を行い得るようになされている。
【００４９】
制御部２は、リモコン４を介したユーザからの指示に従い、ハードディスクドライブ１６、光ディスク５０、メモリカード５１、或いはネットワークインタフェース２０を介して接続された外部機器との間でコンテンツを相互に移動又は複写させ得るようにもなされている。
【００５０】
このとき制御部２は、暗号処理回路２１により、著作権保護されたコンテンツの移動や複写を行う際に必要な暗号化処理及び復号化処理を行わせるようになされている。
【００５１】
一方、制御部２はユーザによりタイトルの再生指示がなされた場合、再生処理として、ハードディスクドライブ１６から当該タイトルにより表されるコンテンツのＡＶストリームＳＴを読み出し、これをエンコーダ／デコーダ１３へ供給させる。
【００５２】
因みに制御部２は、タイトル表示画面等においてタイトルが選択された状態でリモコン４の再生ボタンが押下操作され、操作部５により生成された再生指示命令を取得したときに、再生指示がなされたと判断する。
【００５３】
エンコーダ／デコーダ１３は、コンテンツ（テレビジョン番組）を受信した場合と同様、ＡＶストリームＳＴをデコードしてビデオデータ及びオーディオデータを生成し、これらをビデオ処理部１４及びオーディオ処理部１５へそれぞれ供給する。
【００５４】
ビデオ処理部１４は、ビデオデータを例えばアナログのビデオ信号に変換して外部へ送出する。またオーディオ処理部１５は、オーディオデータを例えばアナログのオーディオ信号に変換して外部へ送出する。これにより録画再生装置１は、ハードディスクドライブ１６から選択されたタイトルの映像及び音声を、外部のテレビジョン受像機１００を介してユーザに視聴させることができる。
【００５５】
因みに制御部２は、光ディスク５０又はメモリカード５１に格納されたコンテンツのタイトルが選択され再生指示がなされた場合にも、同様の再生処理を行うようになされている。
【００５６】
このように録画再生装置１は、ユーザの操作指示に従い、コンテンツ（テレビジョン番組）に対しＡＶストリームＳＴ、タイトル情報ＴＩ及び特徴量ＤＳを互いに対応付けた状態でハードディスクドライブ１６に記憶させるようになされている。
【００５７】
［１−３．マルチプレイリストの階層構造］
ところで録画再生装置１の制御部２は、録画処理によりコンテンツ（テレビジョン番組）のＡＶストリームＳＴをハードディスクドライブ１６に記憶させる際、当該コンテンツについてそれぞれ異なるポリシーによって複数種類のプレイリスト（以下、これをマルチプレイリストと呼ぶ。）を生成し、これをＡＶストリームＳＴと対応付けて記憶するようになされている。
【００５８】
ここでプレイリストは、ＡＶストリームＳＴの一部又は全部の範囲を指定し、必要な部分だけを再生する指示を表しており、ユーザからはコンテンツのタイトルとして取扱い得るようになされている。すなわちプレイリストは、ユーザからみて、コンテンツの部分的な再生が連続して行われることを暗黙に期待する映像及び音声の単位となっている。
【００５９】
例えば、図４に示すように、録画再生装置１の制御部２は、コンテンツの本編に対する映像の切り換わり点すなわちカットチェンジ点を区切り点ＣＴ０〜ＣＴｎとして複数設定することにより、図５（Ａ）に示すようなルートプレイリストを生成することができる。
【００６０】
因みに、録画再生装置１の制御部２は、カットチェンジ点を区切り点ＣＴ０〜ＣＴｎとして複数設定するだけではなく、コンテンツに本編以外のコマーシャル映像が含まれている場合には、当該コマーシャル映像の特徴点ＤＳを検出し、その検出したフレームを区切り点ＣＴとして設定するようになされている。
【００６１】
ここで、録画再生装置１の制御部２は、コンテンツにおける音声の無音区間と、その無音区間の時間間隔等に基づいてコマーシャル映像の特徴点ＤＳを検出し、それをコマーシャル映像の区切り点ＣＴとして設定することができる。
【００６２】
因みに、これは日本国内におけるコンテンツのコマーシャル映像を検出する場合に関する技術であり、米国のテレビ放送におけるコマーシャル映像を検出する場合には適用できない。
【００６３】
何故なら、米国のテレビ放送番組では、日本のように無音区間の検出だけではコマーシャル映像の特徴点ＤＳを正確に検出することはできず、米国特有の輝度レベルが低く、ほぼ黒レベルに近い複数フィールドの映像区間を検出する必要があるからである。
【００６４】
すなわち米国のテレビ放送番組を考えた場合、コマーシャル映像の間隔が１５秒の倍数の時間長であることに変わりはないが、コマーシャル映像の開始時点及び終了時点において輝度レベルがほぼ黒レベルである複数フィールドを検出することにより、コマーシャル映像の特徴点ＤＳを検出し、それをコマーシャル映像の区切り点ＣＴとして設定すれば良い。
【００６５】
録画再生装置１の制御部２は、親のルートプレイリストから例えば音楽属性、歓声属性及びゴール属性等のジャンル属性（図４）を検出することにより、図５（Ｂ）、（Ｃ）及び（Ｄ）に示すような子供の音楽シーンプレイリスト、歓声シーンプレイリスト、ゴールシーンプレイリストを生成することができる。
【００６６】
音楽シーンプレイリストでは、ルートプレイリストの区切り点ＣＴ０〜ＣＴ３までの再生区間が１つ目の第１音楽シーンＭＳＣ１として生成され、ルートプレイリストの区切り点ＣＴ１４〜ＣＴ１７までの再生区間が２つ目の第２音楽シーンＭＳＣ２として生成されている。
【００６７】
歓声シーンプレイリストは、ルートプレイリストの区切り点ＣＴ４〜ＣＴ８までの再生区間が１つ目の第１歓声シーンＷＳＣ１として生成され、ルートプレイリストの区切り点ＣＴ１１〜ＣＴ１４までの再生区間が２つ目の第２歓声シーンＷＳＣ２として生成され、ルートプレイリストの区切り点ＣＴ１５〜ＣＴ１９までの再生区間が３つ目の第３歓声シーンＷＳＣ３として生成されている。
【００６８】
ゴールシーンプレイリストは、ルートプレイリストの区切り点ＣＴ５〜ＣＴ７までの再生区間が１つ目の第１ゴールシーンＧＳＣ１として生成され、ルートプレイリストの区切り点ＣＴ１０〜ＣＴ１３までの再生区間が２つ目の第２ゴールシーンＧＳＣ２として生成され、ルートプレイリストの区切り点ＣＴ１６〜ＣＴ１８までの再生区間が３つ目の第３ゴールシーンＧＳＣ３として生成されている。
【００６９】
ここで図６（Ａ）及び（Ｂ）に示すように、音楽シーンプレイリストはルートプレイリストの区切り点ＣＴ０〜ＣＴ３までの再生区間において画像又は音声の特徴量が所定の閾値レベルＴＨ１を超えているので、その区切り点ＣＴ０〜ＣＴ３までの再生区間が第１音楽シーンＭＳＣ１として設定されている。
【００７０】
また、図６（Ａ）及び（Ｃ）に示すように、歓声シーンプレイリストはルートプレイリストの区切り点ＣＴ４〜ＣＴ８までの再生区間において画像又は音声の特徴量が所定の閾値レベルＴＨ２を超えているので、その区切り点ＣＴ４〜ＣＴ８までの再生区間が第１歓声シーンＷＳＣ１として設定されている。
【００７１】
なお、図示しないがゴールシーンプレイリストについても同様に、ルートプレイリストの区切り点ＣＴ５〜ＣＴ７までの再生区間において画像又は音声の特徴量が所定の閾値レベルを超えているので、その区切り点ＣＴ５〜ＣＴ７までの再生区間が第１ゴールシーンＧＳＣ１として設定されている。
【００７２】
このようにして生成された音楽シーンプレイリスト（図４）は、その音楽シーンプレイリストを用いて音楽シーンだけを連続再生するのに適した例えば音楽ジュークアプリケーションへ渡されることになる。
【００７３】
同様に、歓声シーンプレイリスト（図４）は、その歓声シーンプレイリストを用いて歓声シーンだけを連続再生するのに適した例えばダイジェスト再生アプリケーションへ渡され、ゴールシーンプレイリストは、そのゴールシーンプレイリストを用いてゴールシーンだけを連続再生するのに適した例えば早見アプリケーションへ渡されることになる。
【００７４】
因みに、ゴールシーンプレイリスト（図４）は、そのゴールシーンプレイリストを用いてゴールシーンだけを連続再生するのに適したダイジェスト再生アプリケーションへ渡されても良い。この場合、ダイジェスト再生アプリケーションでは、歓声シーンプレイリスト又はゴールシーンプレイリストの何れかを選択してダイジェスト再生を行うことができる。
【００７５】
［１−４．一般再生切替処理とプレイリスト再生切替処理］
録画再生装置１の制御部２は、図７に示すように、一般再生切替処理ＧＰＣとプレイリスト再生切替処理ＰＰＣとを、リモコン４のプレイリスト切替ボタン４Ｂ又は一般再生切替ボタン（図示せず）に対する押下操作に応じて切り替えるようになされている。
【００７６】
具体的に録画再生装置１の制御部２は、リモコン４の一般再生切替ボタンとして割り当てられている例えば黄ボタン（図示せず）に対する押下操作に応じて、コンテンツを通常再生する一般的な通常再生モードＭＤ１から早見再生モードＭＤ２へ切り替えることができる。
【００７７】
その後、録画再生装置１の制御部２は、リモコン４の黄ボタンに対する再度の押下操作に応じて、早見再生モードＭＤ２から通常再生モードＭＤ１へ切り替えることができる。
【００７８】
ここで、通常再生モードＭＤ１は、そのコンテンツを最初から最後まで通常の再生方法によって連続的に再生するモードである一方、早見再生モードＭＤ２は、そのコンテンツを所定時間間隔で飛ばしながら部分的に再生するモードである。
【００７９】
ところで録画再生装置１の制御部２は、通常再生モードＭＤ１又は早見再生モードＭＤ２によるコンテンツの一般再生切替処理ＧＰＣを行っている最中に、リモコン４のプレイリスト切替ボタン４Ｂが押下操作されたことを確認すると、一般再生切替処理ＧＰＣからプレイリスト再生切替処理ＰＰＣへ遷移するようになされている。
【００８０】
録画再生装置１の制御部２は、プレイリスト再生切替処理ＰＰＣに移った場合、そのコンテンツに対して音楽シーンプレイリスト、歓声シーンプレイリスト及びゴールシーンプレイリストを予め生成してハードディスクドライブ１６に記憶していた場合（図４）、まず音楽シーンプレイリスト、歓声シーンプレイリスト及びゴールシーンプレイリストを読み出す。
【００８１】
そして録画再生装置１の制御部２は、音楽ジュークアプリケーションにより音楽シーンプレイリストを用いた音楽ジューク再生モードＭＤ３もしくはダイジェスト再生アプリケーションにより歓声シーンプレイリスト又はゴールシーンプレイリストを用いたダイジェスト再生モードＭＤ４へ移る。
【００８２】
録画再生装置１の制御部２は、例えば音楽ジュークアプリケーションにより音楽シーンプレイリストを用いた音楽ジューク再生モードＭＤ３にあるとき、リモコン４のプレイリスト切替ボタン４Ｂが押下操作されたことを確認すると、ダイジェスト再生アプリケーションにより歓声シーンプレイリスト又はゴールシーンプレイリストを用いたダイジェスト再生モードＭＤ４へ遷移する。
【００８３】
そして録画再生装置１の制御部２は、ダイジェスト再生アプリケーションにより歓声シーンプレイリスト又はゴールシーンプレイリストを用いたダイジェスト再生モードＭＤ４にあるとき、リモコン４のプレイリスト切替ボタン４Ｂが押下操作されたことを確認すると、ゴールシーンプレイリスト又は歓声シーンプレイリストを用いたダイジェスト再生モードＭＤ４へ遷移する。
【００８４】
この場合、録画再生装置１の制御部２は、ダイジェスト再生モードＭＤ４において、プレイリスト切替ボタン４Ｂに対する押下操作に応じて、歓声シーンプレイリスト又はゴールシーンプレイリストの何れかによるダイジェスト再生を交互に切り替えることができる。
【００８５】
その後、録画再生装置１の制御部２は、ダイジェスト再生モードＭＤ４で歓声シーンプレイリストを用いたダイジェスト再生、ゴールシーンプレイリストを用いたダイジェスト再生の双方を切り換えて行った後、プレイリスト切替ボタン４Ｂが押下操作されたことを確認すると、音楽ジュークアプリケーションにより音楽シーンプレイリストを用いた音楽ジューク再生モードＭＤ３へ遷移するようになされている。
【００８６】
なお録画再生装置１の制御部２は、音楽ジューク再生モードＭＤ３又はダイジェスト再生モードＭＤ４によるコンテンツのプレイリスト再生切替処理を行っている最中に、リモコン４の一般再生切替ボタン（図示せず）が押下操作されたことを確認すると、プレイリスト再生切替処理ＰＰＣから一般再生切替処理ＧＰＣへ戻るようになされている。
【００８７】
［１−５．プレイリスト再生切替処理］
続いて録画再生装置１の制御部２は、ダイジェスト再生モードＭＤ４において、歓声シーンプレイリストを用いたプレイリスト再生（ダイジェスト再生）と、ゴールシーンプレイリストを用いたプレイリスト再生（ダイジェスト再生）とを交互に切り換えて行うときのプレイリスト再生切替処理について具体的に説明する。
【００８８】
なお、録画再生装置１の制御部２は、音楽シーンプレイリストを用いた音楽ジューク再生と、歓声シーンプレイリストを用いたダイジェスト再生とを交互に切り換えて行うときのプレイリスト再生切替処理や、音楽シーンプレイリストを用いた音楽ジューク再生と、ゴールシーンプレイリストを用いたダイジェスト再生とを交互に切り換えて行うときのプレイリスト再生切替処理については基本的に同様であるので便宜上その説明を省略する。
【００８９】
［１−５−１．第１のプレイリスト再生切替処理］
録画再生装置１の制御部２は、図８（Ａ）に示すように、あるタイトルのコンテンツを通常再生モードＭＤ１で再生中、リモコン４のプレイリスト切替ボタン４Ｂが押下操作されると、次の処理を行う。
【００９０】
この場合、録画再生装置１の制御部２は、図８（Ａ）及び（Ｂ）に示すように歓声シーンプレイリストの再生区間である第１歓声シーンＷＳＣ１の先頭に再生位置をジャンプしてダイジェスト再生モードＭＤ４へ移り、歓声シーンだけのプレイリスト再生（ダイジェスト再生）を開始する。
【００９１】
そして録画再生装置１の制御部２は、歓声シーンプレイリストの第１歓声シーンＷＳＣ１の先頭からプレイリスト再生を開始し、現在、第２歓声シーンＷＳＣ２に対してプレイリスト再生を行っている最中に、リモコン４のプレイリスト切替ボタン４Ｂが押下操作されると、次の処理を行う。
【００９２】
このとき録画再生装置１の制御部２は、図８（Ｂ）及び（Ｃ）に示すように、第２歓声シーンＷＳＣ２に対するプレイリスト再生を停止すると共に、その再生停止位置ＳＴ０のタイムコードを記憶した後、次の処理を行う。
【００９３】
録画再生装置１の制御部２は、切替先のゴールシーンプレイリストに対して過去にプレイリスト再生を行ったことがない場合、第２歓声シーンＷＳＣ２の再生停止位置ＳＴ０からゴールシーンプレイリストの第１ゴールシーンＧＳＣ１の先頭へ再生位置をジャンプし、そこからプレイリスト再生（ダイジェスト再生）を開始するようになされている。
【００９４】
このように録画再生装置１の制御部２は、図８（Ｂ）及び（Ｃ）に示すように、リモコン４のプレイリスト切替ボタン４Ｂに対する押下操作に応じて、歓声シーンプレイリストを用いた歓声シーンだけのプレイリスト再生（ダイジェスト再生）から、ゴールシーンプレイリストを用いたゴールシーンだけのプレイリスト再生（ダイジェスト再生）へ切り替え得るようになされている。
【００９５】
［１−５−２．第２のプレイリスト再生切替処理］
録画再生装置１の制御部２は、図９（Ａ）に示すように、あるタイトルのコンテンツを通常再生モードＭＤ１で再生中、リモコン４のプレイリスト切替ボタン４Ｂが押下操作されると、次の処理を行う。
【００９６】
この場合、録画再生装置１の制御部２は、図９（Ａ）及び（Ｂ）に示すように歓声シーンプレイリストの再生区間である第１歓声シーンＷＳＣ１の先頭に再生位置をジャンプしてダイジェスト再生モードＭＤ４へ移り、歓声シーンだけのプレイリスト再生（ダイジェスト再生）を開始する。
【００９７】
そして録画再生装置１の制御部２は、歓声シーンプレイリストの第１歓声シーンＷＳＣ１の先頭からプレイリスト再生を行っている最中に、リモコン４のプレイリスト切替ボタン４Ｂが押下操作されると、次の処理を行う。
【００９８】
このとき録画再生装置１の制御部２は、図９（Ｂ）及び（Ｃ）に示すように、第１歓声シーンＷＳＣ１に対するプレイリスト再生を停止すると共に、その再生停止位置ＳＴ１のタイムコードを記憶した後、次の処理を行う。
【００９９】
録画再生装置１の制御部２は、その再生停止位置ＳＴ１が切替先の歓声シーンプレイリストの再生区間である第１歓声シーンＷＳＣ１と対応しており、かつゴールシーンプレイリストに対して過去にプレイリスト再生を停止した第１ゴールシーンＧＳＣ１の再生停止位置ＳＴ２が存在する場合、その再生停止位置ＳＴ２へ再生位置をジャンプしてゴールシーンだけのプレイリスト再生（ダイジェスト再生）をその途中から再開する。
【０１００】
その後、録画再生装置１の制御部２は、ゴールシーンプレイリストの第１ゴールシーンＧＳＣ１の再生停止位置ＳＴ２からプレイリスト再生（ダイジェスト再生）を再開後、第２ゴールシーンＧＳＣ２をプレイリスト再生中、リモコン４のプレイリスト切替ボタン４Ｂが押下操作されると、次の処理を行う。
【０１０１】
この場合、録画再生装置１の制御部２は、図９（Ｃ）及び（Ｂ）に示すように、第２ゴールシーンＧＳＣ２のプレイリスト再生を停止すると共に、その再生停止位置ＳＴ３のタイムコードを記憶する。
【０１０２】
その後、録画再生装置１の制御部２は、当該再生停止位置ＳＴ３が切替先の歓声シーンプレイリストの再生区間と対応しているが、過去にプレイリスト再生を停止した再生停止位置が存在しない場合、その再生区間である第２歓声シーンＷＳＣ２の先頭へ再生位置をジャンプし、そこからプレイリスト再生（ダイジェスト再生）を再開するようになされている。
【０１０３】
このように録画再生装置１の制御部２は、図９（Ｂ）及び（Ｃ）に示すように、リモコン４のプレイリスト切替ボタン４Ｂに対する押下操作に応じて、歓声シーンプレイリストを用いた歓声シーンだけのプレイリスト再生（ダイジェスト再生）と、ゴールシーンプレイリストを用いたゴールシーンだけのプレイリスト再生（ダイジェスト再生）とを、その再生停止位置ＳＴ１、ＳＴ３の近傍から再生再開できるよう交互に切り替え得るようになされている。
【０１０４】
［１−５−３．第３のプレイリスト再生切替処理］
録画再生装置１の制御部２は、図１０（Ａ）に示すように、あるタイトルのコンテンツを通常再生モードＭＤ１で再生中、リモコン４のプレイリスト切替ボタン４Ｂが押下操作されると、次の処理を行う。
【０１０５】
この場合、録画再生装置１の制御部２は、図１０（Ａ）及び（Ｂ）に示すように歓声シーンプレイリストの第１歓声シーンＷＳＣ１の先頭に再生位置をジャンプしてダイジェスト再生モードＭＤ４へ移り、歓声シーンだけのプレイリスト再生（ダイジェスト再生）を開始する。
【０１０６】
そして録画再生装置１の制御部２は、歓声シーンプレイリストの第１歓声シーンＷＳＣ１の先頭からプレイリスト再生を開始し、現在、第２歓声シーンＷＳＣ２の途中までプレイリスト再生を行っている最中に、リモコン４のプレイリスト切替ボタン４Ｂが押下操作されると、次の処理を行う。
【０１０７】
この場合、録画再生装置１の制御部２は、図１０（Ｂ）及び（Ｃ）に示すように、第２歓声シーンＷＳＣ２の途中でプレイリスト再生を停止すると共に、その再生停止位置ＳＴ４のタイムコードを記憶する。
【０１０８】
そして録画再生装置１の制御部２は、再生停止位置ＳＴ４のタイムコードがゴールシーンプレイリストの再生区間である第１ゴールシーンＧＳＣ１〜第３ゴールシーンＧＳＣ３の何れかと重なるか否かを判別する。
【０１０９】
このとき録画再生装置１の制御部２は、歓声シーンプレイリストの再生停止位置ＳＴ４がゴールシーンプレイリストの再生区間である第１ゴールシーンＧＳＣ１〜第３ゴールシーンＧＳＣ３の何れに対しても重なることがないので、次の処理を行う。
【０１１０】
録画再生装置１の制御部２は、その再生停止位置ＳＴ４から最も近い未来側の再生区間である第３ゴールシーンＧＳＣ３の先頭、或はその再生停止時点から最も近い過去側の再生区間である第２ゴールシーンＧＳＣ２の先頭に再生位置をジャンプし、そこからゴールシーンだけのプレイリスト再生（ダイジェスト再生）を開始する。
【０１１１】
このように録画再生装置１の制御部２は、図１０（Ｂ）及び（Ｃ）に示すように、リモコン４のプレイリスト切替ボタン４Ｂに対する押下操作に応じて、歓声シーンプレイリストを用いた歓声シーンだけのプレイリスト再生（ダイジェスト再生）から、ゴールシーンプレイリストを用いたゴールシーンだけのプレイリスト再生（ダイジェスト再生）へ切り替える際、その再生位置を再生停止位置ＳＴ４から直近の未来側又は過去側の再生区間へジャンプさせてプレイリスト再生を開始するようになされている。
【０１１２】
［１−５−４．プレイリスト再生切替処理手順］
続いて、上述した録画再生装置１の制御部２が第１のプレイリスト再生切替処理パターン又は第２のプレイリスト再生切替処理パターンを用いて行うプレイリスト再生切替処理を、図１１のフローチャートにより具体的に説明する。
【０１１３】
録画再生装置１の制御部２は、ルーチンＲＴ１の開始ステップから入って次のステップＳＰ１へ移り、ユーザにより電源が投入されたことを認識すると、次のステップＳＰ２へ移る。
【０１１４】
ステップＳＰ２において録画再生装置１の制御部２は、リモコン４を介してユーザにより選択されたユーザ所望の実行すべき表示対象となるプレイリストを例えば歓声シーンプレイリスト及びゴールシーンプレイリストとして決定し、次のステップＳＰ３へ移る。
【０１１５】
ステップＳＰ３において録画再生装置１の制御部２は、ステップＳＰ２で決定した歓声シーンプレイリスト又はゴールシーンプレイリストに従ってプレイリスト再生を開始し、次のステップＳＰ４へ移る。
【０１１６】
ここで録画再生装置１の制御部２は、歓声シーンプレイリスト及びゴールシーンプレイリストのうち予めユーザにより選択された何れか一方を用いてプレイリスト再生を開始する。但し、これに限るものではなく、録画再生装置１の制御部２はデフォルトの設定として、プレイリスト生成日時の古い方を用いてプレイリスト再生を開始するようにしても良い。
【０１１７】
実際上、録画再生装置１の制御部２は、例えば歓声シーンプレイリストにおける再生区間である第１歓声シーンＷＳＣ１〜第３歓声シーンＷＳＣ３、……、だけを連続して再生することにより、プレイリスト再生（すなわちダイジェスト再生）を開始する。
【０１１８】
このとき同時に録画再生装置１の制御部２は、図１２に示すように、テレビジョン受像機１００の画面に歓声シーンプレイリストに対応した歓声シーンプレイリスト表示欄ＷＤを表示することにより、現在、歓声シーンプレイリストによるプレイリスト再生を実行中であることを、ユーザに対して視覚的に示すようになされている。
【０１１９】
この歓声シーンプレイリスト表示欄ＷＤでは、歓声シーンプレイリストが表示され、第１歓声シーンＷＳＣ１を現在プレイリスト再生中であることを矢印の再生マークＰＭ１によって表現すると共に、その第１歓声シーンＷＳＣ１が１０個ある歓声チャプタのうち１番目に相当することを「歓声チャプタ(1/10)」のテキスト表示によって表現している。
【０１２０】
なお録画再生装置１の制御部２は、現時点ではプレイリスト再生の対象ではないが、プレイリスト切替ボタン４Ｂに対する押下操作に応じてプレイリスト再生の対象となり得るゴールシーンプレイリストのゴールシーンプレイリスト表示欄ＧＤについても、僅かに目視確認できる程度の表示形態（破線で示す）で表示するようになされている。
【０１２１】
これにより録画再生装置１の制御部２は、ゴールシーンプレイリスト表示欄ＧＤに表示された現在プレイリスト再生を行っている歓声シーンプレイリストだけでなく、ゴールシーンプレイリスト表示欄ＧＤによりプレイリスト再生の切替先としてゴールシーンプレイリストが存在することをユーザに対して直感的に認識させ得るようになされている。
【０１２２】
ステップＳＰ４において録画再生装置１の制御部２は、歓声シーンプレイリストに従って第１歓声シーンＷＳＣ１〜第３歓声シーンＷＳＣ３、……、に対するプレイリスト再生を実行中、リモコン４のプレイリスト切替ボタン４Ｂが押下操作されたか否かを判定する。
【０１２３】
ここで否定結果が得られると、このことは、歓声シーンプレイリストに従ったプレイリスト再生を実行中、リモコン４のプレイリスト切替ボタン４Ｂが押下操作されていないことを表しており、このとき録画再生装置１の制御部２はステップＳＰ３へ戻って歓声シーンプレイリストに従ったプレイリスト再生を継続して実行する。
【０１２４】
これに対してステップＳＰ４で肯定結果が得られると、このことは歓声シーンプレイリストに従ったプレイリスト再生を実行中、リモコン４のプレイリスト切替ボタン４Ｂが押下操作されたことを表しており、このとき録画再生装置１の制御部２は次のステップＳＰ５へ移る。
【０１２５】
ステップＳＰ５において録画再生装置１の制御部２は、プレイリスト切替ボタン４Ｂが押下操作された時点で、歓声シーンプレイリストに従ったプレイリスト再生を停止し、その再生停止位置ＳＴを示すタイムコードをＲＡＭ２Ｃに保存し、次のステップＳＰ６へ移る。
【０１２６】
ステップＳＰ６において録画再生装置１の制御部２は、プレイリスト切替ボタン４Ｂに対する押下操作に応じて再生対象のプレイリストを歓声シーンプレイリストからゴールシーンプレイリストに切り替え、次のステップＳＰ７へ移る。
【０１２７】
ステップＳＰ７において録画再生装置１の制御部２は、切り替えた先のゴールシーンプレイリストを過去に再生したことがあるか否かを判定する。ここで否定結果が得られると、このことはゴールシーンプレイリストについては未だプレイリスト再生したことがないことを表しており、このとき録画再生装置１の制御部２は次のステップＳＰ８へ移る。
【０１２８】
ステップＳＰ８において録画再生装置１の制御部２は、図８に示したように、歓声シーンプレイリストの再生停止位置ＳＴ０から切替先のゴールシーンプレイリストにおける最初の再生区間である第１ゴールシーンＧＳＣ１の先頭を開始点に設定し、次のステップＳＰ１１へ移る。
【０１２９】
これに対してステップＳＰ７において肯定結果が得られると、このことはゴールシーンプレイリストを使って過去にプレイリスト再生を行ったことがあることを表しており、このとき録画再生装置１の制御部２は次のステップＳＰ９へ移る。
【０１３０】
ステップＳＰ９において録画再生装置１の制御部２は、歓声シーンプレイリストに従ったプレイリスト再生を停止したときの再生停止位置ＳＴが、切替先のゴールシーンプレイリストにおける何れかの再生区間と重なっているか否かを判定する。
【０１３１】
ここで肯定結果が得られると、このことは例えば歓声シーンプレイリストに従ったプレイリスト再生を停止したときの再生停止位置ＳＴ１（図９（Ｂ））が、切替先のゴールシーンプレイリストにおける再生区間の第１ゴールシーンＧＳＣ１に対応していることを表しており、このとき録画再生装置１の制御部２は次のステップＳＰ１０へ移る。
【０１３２】
ステップＳＰ１０において録画再生装置１の制御部２は、切替先のゴールシーンプレイリストにおける第１ゴールシーンＧＳＣ１の過去の再生停止位置ＳＴ２を、当該ゴールシーンプレイリストに従ってプレイリスト再生を再開するときの開始点に設定し、次のステップＳＰ１１へ移る。
【０１３３】
ステップＳＰ１１において録画再生装置１の制御部２は、ステップＳＰ８又はステップＳＰ１０で設定したプレイリスト再生の開始点へ再生位置をジャンプして歓声シーンプレイリストからゴールシーンプレイリストに切り替えてプレイリスト再生を開始した後、再度ステップＳＰ４へ戻って以降の処理を繰り返す。
【０１３４】
このとき録画再生装置１の制御部２は、図１３に示すように、テレビジョン受像機１００の画面に歓声シーンプレイリストに対応した歓声シーンプレイリスト表示欄ＷＤをユーザが僅かに目視確認できる程度の表示形態（破線で示す）に変更すると共に、ゴールシーンプレイリスト表示欄ＧＤを表示する。
【０１３５】
これにより録画再生装置１の制御部２は、現在、歓声シーンプレイリストによるプレイリスト再生からゴールシーンプレイリストによるプレイリスト再生に切り替えて実行中であることを、ユーザに対して視覚的に示すようになされている。
【０１３６】
このゴールシーンプレイリスト表示欄ＧＤでは、ゴールシーンプレイリストが表示され、例えば第２ゴールシーンＧＳＣ２を現在プレイリスト再生中であることを矢印の再生マークＰＭ２によって表現すると共に、その第２ゴールシーンＧＳＣ２が全部で７個あるゴールチャプタのうち２番目に相当することを「ゴールチャプタ(2/7)」のテキスト表示によって表現している。
【０１３７】
一方、ステップＳＰ９で否定結果が得られると、このことは例えば歓声シーンプレイリストに従ったプレイリスト再生を停止したときの再生停止位置ＳＴ４（図１０（Ｂ））が、切替先のゴールシーンプレイリストにおける再生区間の第２ゴールシーンＧＳＣ２や第３ゴールシーンＧＳＣ３の何れにも対応していないことを表しており、このとき録画再生装置１の制御部２は次のステップＳＰ１２へ移る。
【０１３８】
ステップＳＰ１２において録画再生装置１の制御部２は、例えば歓声シーンプレイリストに従ったプレイリスト再生を停止したときの再生停止位置ＳＴ４（図１０（Ｂ））が、切替先のゴールシーンプレイリストにおける再生区間の第２ゴールシーンＧＳＣ２や第３ゴールシーンＧＳＣ３の何れにも対応していないので、その再生停止位置ＳＴ４に最も近い過去側又は未来側の再生区間である第２ゴールシーンＧＳＣ２又は第３ゴールシーンＧＳＣ３の先頭を、プレイリスト再生を再開するときの開始点に設定し、次のステップＳＰ１１へ移る。
【０１３９】
ステップＳＰ１１において録画再生装置１の制御部２は、ステップＳＰ１２で設定したプレイリスト再生の開始点へ再生位置をジャンプしてプレイリスト再生を開始した後、再度ステップＳＰ４へ戻って以降の処理を繰り返す。
【０１４０】
このとき録画再生装置１の制御部２は、図１４に示すように、テレビジョン受像機１００の画面に歓声シーンプレイリストに対応した歓声シーンプレイリスト表示欄ＷＤをユーザが僅かに目視確認できる程度の表示形態（破線で示す）に変更すると共に、ゴールシーンプレイリスト表示欄ＧＤを表示する。
【０１４１】
これにより録画再生装置１の制御部２は、現在、歓声シーンプレイリストによるプレイリスト再生からゴールシーンプレイリストによるプレイリスト再生に切り替えて実行中であることを、ユーザに対して視覚的に示すようになされている。
【０１４２】
このゴールシーンプレイリスト表示欄ＧＤでは、ゴールシーンプレイリストが表示され、例えば第２ゴールシーンＧＳＣ２について現在プレイリスト再生中であることを矢印の再生マークＰＭ３によって表現すると共に、その第２ゴールシーンＧＳＣ２が全部で７個あるゴールチャプタのうち２番目に相当することを「ゴールチャプタ(2/7)」のテキスト表示によって表現している。
【０１４３】
このようにして録画再生装置１の制御部２は、歓声シーンプレイリストによるプレイリスト再生と、ゴールシーンプレイリストによるプレイリスト再生とを、第１のプレイリスト再生切替処理パターン〜第３のプレイリスト再生切替処理パターンのうちの何れかを用いて交互に切り替え得るようになされている。
【０１４４】
そのとき録画再生装置１の制御部２は、歓声シーンプレイリストによるプレイリスト再生と、ゴールシーンプレイリストによるプレイリスト再生とを切り替えたとき、図１２〜図１４に示したように、プレイリスト再生中の歓声シーンプレイリスト表示欄ＷＤ又はゴールシーンプレイリスト表示欄ＧＤを主に表示することにより、何れのプレイリストが用いられているのかをユーザに対して瞬時に理解させることができる。
【０１４５】
そして録画再生装置１の制御部２は、最後の再生区間である第３歓声シーンＷＳＣ３や第３ゴールシーンＧＳＣ３までプレイリスト再生が終了すると、自動的に最初の再生区間である第１歓声シーンＷＳＣ１や第１ゴールシーンＧＳＣ１に戻ってプレイリスト再生を最初から繰り返し実行するようになされている。
【０１４６】
これは、プレイリスト再生が終了したときに、プレイリスト再生を再度再開するための命令を与えなければならないというユーザの手間を省くためであり、歓声シーンプレイリストやゴールシーンプレイリストに設定された再生区間が少なく、プレイリスト再生が短時間で終了してしまうときに有効である。
【０１４７】
なお、便宜上、歓声シーンプレイリストとゴールシーンプレイリストとを切り替える例を挙げて説明したが、歓声シーンプレイリストと音楽シーンプレイリストとを切り替えたり、ゴールシーンプレイリストと音楽シーンプレイリストとを切り替える場合も同様であり、ここでは説明を省略する。
【０１４８】
［１−６．ユーザプレイリストの生成手法］
次に、録画再生装置１の制御部２では、歓声シーンプレイリストとゴールシーンプレイリストとを切り替えながらプレイリスト再生を実行したときの再生履歴に基づいて、そのユーザ独自のユーザプレイリストを自動的に生成するユーザプレイリスト自動生成方法を説明する。
【０１４９】
また録画再生装置１の制御部２では、ユーザプレイリスト自動生成方法だけでなく、歓声シーンプレイリストとゴールシーンプレイリストとを手動により任意のタイミングで切り替えながらプレイリスト再生を実行したときの操作結果に基づいて、そのユーザ独自のユーザプレイリストを直接手動的に生成するユーザプレイリスト手動生成方法についても、引き続き説明する。
【０１５０】
［１−６−１．ユーザプレイリスト自動生成方法］
図１５（Ａ）〜（Ｃ）に示すように録画再生装置１の制御部２は、あるタイトルのコンテンツに対して予め生成された歓声シーンプレイリストと、ゴールシーンプレイリストとを実際に切り替えながらプレイリスト再生を数回以上繰り返し行ったとき、何れの再生区間をどのような頻度で再生したかをカウントしておくようになされている。
【０１５１】
この結果、録画再生装置１の制御部２は、歓声シーンプレイリストにおける最初の再生区間である第１歓声シーンＷＳＣ１を２回再生し、第３歓声シーンＷＳＣ３を５回再生していることを歓声シーンプレイリストに対する再生履歴として保持する。
【０１５２】
また録画再生装置１の制御部２は、ゴールシーンプレイリストにおける２番目の再生区間である第２ゴールシーンＧＳＣ２を８回再生していることをゴールシーンプレイリストに対する再生履歴として保持する。
【０１５３】
そして録画再生装置１の制御部２は、歓声シーンプレイリスト及びゴールシーンプレイリストのうち、少なくとも２回以上再生している再生区間を抽出し、それらを時間軸上に並べることにより、図１５（Ｄ）に示すような、ユーザが頻繁に再生している再生区間だけを集めて合成したユーザプレイリストを自動的に生成するようになされている。
【０１５４】
このユーザプレイリストは、歓声シーンプレイリストにおける第１歓声シーンＷＳＣ１の再生区間と、ゴールシーンプレイリストにおける第２ゴールシーンＧＳＣ２の再生区間と、歓声シーンプレイリストにおける第３歓声シーンＷＳＣ３の再生区間とを時間軸上に並べることにより生成されている。
【０１５５】
このように録画再生装置１の制御部２は、歓声シーンプレイリストと、ゴールシーンプレイリストとを交互に切り替えてプレイリスト再生を繰り返し実行しながら再生履歴を生成し、これを用いてユーザプレイリストを当該ユーザに何ら意識させることなく自動的に生成し得るようになされている。
【０１５６】
実際上、図１６に示すように録画再生装置１の制御部２は、ルーチンＲＴ２の開始ステップから入って次のステップＳＰ２１へ移り、あるタイトルのコンテンツに対して予め生成されているプレイリスト再生対象の複数のプレイリストを認識し、次のステップＳＰ２２へ移る。
【０１５７】
ステップＳＰ２２において録画再生装置１の制御部２は、複数のプレイリスト（例えば歓声シーンプレイリスト及びゴールシーンプレイリスト）のうちの任意のプレイリストに対して着目し、そのプレイリストに対する再生回数が少なくとも１回以上あるか否かを判定する。
【０１５８】
ここで否定結果が得られると、このことは、そのプレイリストに対してはプレイリスト再生が１度も行われていないので、ユーザプレイリストを自動的に生成する際に再生履歴を参照する必要のないプレイリストであることを表しており、このとき録画再生装置１の制御部２はステップＳＰ２２へ戻る。
【０１５９】
ステップＳＰ２２において録画再生装置１の制御部２は、複数のプレイリストのうち再生回数が１回以上あるプレイリストを検出するまで当該ステップＳＰ２２の処理を繰り返す。
【０１６０】
これに対してステップＳＰ２２で肯定結果が得られると、このことは、そのプレイリストに対する再生回数が少なくとも１回以上あって、ユーザプレイリストを自動的に生成する際に再生履歴を参照する必要のある有益なプレイリストであることを表しており、このとき録画再生装置１の制御部２は次のステップＳＰ２３へ移る。
【０１６１】
ステップＳＰ２３において録画再生装置１の制御部２は、そのプレイリストにおける再生区間の再生回数が所定の閾値（例えば２回）以上であるか否かを判定する。ここで否定結果が得られると、このことは、その再生区間についてはユーザが何度も好んでプレイリスト再生した再生区間に該当しないことを表しており、このとき録画再生装置１の制御部２は次のステップＳＰ２４へ移る。
【０１６２】
ステップＳＰ２４において録画再生装置１の制御部２は、その再生区間についてはユーザが何度も好んでプレイリスト再生した再生区間に該当しないので、ユーザプレイリストの候補とすることなく、次のステップＳＰ２５へ移る。
【０１６３】
ステップＳＰ２５において録画再生装置１の制御部２は、そのプレイリストに対する次の再生区間を検証すべく、当該次の再生区間へ移った後、再度ステップＳＰ２３へ戻る。
【０１６４】
これに対してステップＳＰ２３で肯定結果が得られると、このことはそのプレイリストにおける再生区間の再生回数が所定の閾値（例えば２回）以上であって、その再生区間についてはユーザが何度も好んでプレイリスト再生した再生区間であることを表しており、このとき録画再生装置１の制御部２は次のステップＳＰ２６へ移る。
【０１６５】
ステップＳＰ２６において録画再生装置１の制御部２は、その再生区間に対してはユーザが何度も好んでプレイリスト再生した再生区間であるので、新たに生成するユーザプレイリストの候補に設定した後、次のステップＳＰ２７へ移る。
【０１６６】
ステップＳＰ２７において録画再生装置１の制御部２は、そのプレイリストにおける全ての再生区間に対してステップＳＰ２３の閾値比較が行われたか否かを判定し、否定結果が得られた場合、ステップＳＰ２３へ戻って以降の処理を繰り返す。
【０１６７】
これに対してステップＳＰ２７で肯定結果が得られると、このことは、そのプレイリストにおける全ての再生区間に対してステップＳＰ２３の閾値比較が終了し、ユーザプレイリストの候補となる再生区間を全て設定し終えたことを表しており、このとき録画再生装置１の制御部２は次のステップＳＰ２８へ移る。
【０１６８】
ステップＳＰ２８において録画再生装置１の制御部２は、全てのプレイリストに対して再生区間の閾値比較が終了したか否かを判定し、否定結果が得られた場合、ステップＳＰ２３へ戻って、以降の処理を繰り返すことにより次のプレイリストに対する再生区間の閾値比較を行う。
【０１６９】
これに対してステップＳＰ２８で肯定結果が得られると、このことはステップＳＰ２１で認識した複数のプレイリストに対して再生区間の閾値比較が終了し、ユーザプレイリストの候補を全て設定完了したことを表しており、このとき録画再生装置１の制御部２は次のステップＳＰ２９へ移る。
【０１７０】
ステップＳＰ２９において録画再生装置１の制御部２は、歓声シーンプレイリスト及びゴールシーンプレイリストからユーザプレイリストの候補として設定した複数の再生区間を時系列順に並べることにより、歓声シーンプレイリストとゴールシーンプレイリストとを混在したようなユーザプレイリスト（図１７（Ｄ））を生成し、次のステップＳＰ３０へ移る。
【０１７１】
すなわちユーザプレイリストは、歓声シーンプレイリストにおける第１歓声シーンＷＳＣ１の再生区間と、ゴールシーンプレイリストにおける第２ゴールシーンＧＳＣ２の再生区間と、歓声シーンプレイリストの第３歓声シーンＷＳＣ３の再生区間とが時系列順に並べられて構成されている。
【０１７２】
ステップＳＰ３０において録画再生装置１の制御部２は、ステップＳＰ２９で生成したユーザプレイリストをハードディスクドライブ１６に保存した後、次のステップＳＰ３１へ移って処理を終了する。
【０１７３】
このように録画再生装置１の制御部２は、複数のプレイリストにおいて頻繁に再生されている再生区間だけを時系列順に並べたユーザプレイリストを、当該ユーザに何ら意識させることなく再生履歴を用いて自動的に生成し得るようになされている。
【０１７４】
［１−６−２．ユーザプレイリスト手動生成方法］
図１７（Ａ）〜（Ｃ）に示すように録画再生装置１の制御部２は、あるタイトルのコンテンツに対して予め生成された歓声シーンプレイリストの第１歓声シーンＷＳＣ１に対するプレイリスト再生中に、リモコン４のプレイリスト切替ボタン４Ｂに対する押下操作に応じてゴールシーンプレイリストの第２ゴールシーンＧＳＣ２に再生対象を切り替える。
【０１７５】
その後、録画再生装置１の制御部２は、再度のプレイリスト切替ボタン４Ｂに対する押下操作に応じて、ゴールシーンプレイリストの第２ゴールシーンＧＳＣ２から歓声シーンプレイリストの第３歓声シーンＷＳＣ３に再生対象を切り替える。
【０１７６】
このとき録画再生装置１の制御部２は、歓声シーンプレイリスト及びゴールシーンプレイリストを切り替えながらプレイリスト再生を行う度に、プレイリスト再生を行った再生区間である第１歓声シーンＷＳＣ１、第２ゴールシーンＧＳＣ２及び第３歓声シーンＷＳＣ３を時系列に並べることにより、ユーザの嗜好に合致した新たなユーザプレイリストを手動的に生成するようになされている。
【０１７７】
このようなユーザのプレイリスト切替操作に合わせてユーザプレイリストを生成するまでの生成過程を、続く図１８〜図２３を用いて具体的に説明する。
【０１７８】
実際上、録画再生装置１の制御部２は、リモコン４を介したユーザの操作によりユーザプレイリスト手動生成モードに入ると、図１８に示すように、まだユーザプレイリストが生成されていない状態であるため、テレビジョン受像機１００の画面に空のユーザプレイリスト提示枠ＵＦを表示する。
【０１７９】
録画再生装置１の制御部２は、プレイリスト再生すべきコンテンツがユーザにより選択されると、図１９に示すように、当該コンテンツに対して予め生成された歓声シーンプレイリストに対応した歓声シーンプレイリスト提示枠ＷＦ及びゴールシーンにプレイリストに対応したゴールシーンプレイリスト提示枠ＧＦを表示する。
【０１８０】
この場合、録画再生装置１の制御部２は、ユーザプレイリスト提示枠ＵＦの上に、歓声シーンプレイリスト提示枠ＷＦ及びゴールシーンプレイリスト提示枠ＧＦを重ねるように表示する。
【０１８１】
録画再生装置１の制御部２は、歓声シーンプレイリストにおける最初の再生区間である第１歓声シーンＷＳＣ１をプレイリスト再生中、リモコン４のプレイリスト登録ボタン４Ｃに対するユーザの押下操作（図１９）に応じて、当該第１歓声シーンＷＳＣ１をユーザプレイリストの候補に設定する。
【０１８２】
このとき録画再生装置１の制御部２は、図２０に示すように、ユーザプレイリストの候補に設定した第１歓声シーンＷＳＣ１をユーザプレイリスト提示枠ＵＦに表示することにより、当該ユーザプレイリスト提示枠ＵＦを介してユーザプレイリストの生成過程をユーザに対して目視確認させ得るようになされている。
【０１８３】
その後、録画再生装置１の制御部２は、歓声シーンプレイリストの第１歓声シーンＷＳＣ１から、リモコン４のプレイリスト切替ボタン４Ｂに対するユーザの押下操作に応じて、ゴールシーンプレイリストの第２ゴールシーンＧＳＣ２へ再生対象をジャンプする。
【０１８４】
録画再生装置１の制御部２は、ゴールシーンプレイリストにおける第２ゴールシーンＧＳＣ２をプレイリスト再生中、リモコン４のプレイリスト登録ボタン４Ｃに対するユーザの押下操作（図２０）に応じて、当該第２ゴールシーンＧＳＣ２をユーザプレイリストの候補に設定する。
【０１８５】
このときも録画再生装置１の制御部２は、図２１に示すように、ユーザプレイリストの候補に設定した第２ゴールシーンＧＳＣ２を第１歓声シーンＷＳＣ１に続けてユーザプレイリスト提示枠ＵＦに表示することにより、当該ユーザプレイリスト提示枠ＵＦを介してユーザプレイリストの生成過程をユーザに対して目視確認させ得るようになされている。
【０１８６】
ところで、この場合のプレイリスト再生切替処理パターンとしては、プレイリスト切替ボタン４Ｂに対する押下操作に応じて、歓声シーンプレイリスト及びゴールシーンプレイリストの再生区間を切り替える際、時系列的に同じ再生区間が重なることのないように、必ず、１つ未来側の再生区間へジャンプしてプレイリスト再生を実行するようになされている。
【０１８７】
引き続き録画再生装置１の制御部２は、ゴールシーンプレイリストの第２ゴールシーンＧＳＣ２から、リモコン４のプレイリスト切替ボタン４Ｂに対するユーザの押下操作に応じて、歓声シーンプレイリストの第３歓声シーンＷＳＣ３へ再生対象をジャンプする。
【０１８８】
録画再生装置１の制御部２は、歓声シーンプレイリストにおける第３歓声シーンＷＳＣ３をプレイリスト再生中、リモコン４のプレイリスト登録ボタン４Ｃに対するユーザの押下操作（図２１）に応じて、当該第３歓声シーンＷＳＣ３をユーザプレイリストの候補に設定する。
【０１８９】
この場合も録画再生装置１の制御部２は、図２２に示すように、ユーザプレイリストの候補に設定した第３歓声シーンＷＳＣ３を第１歓声シーンＷＳＣ１、第２ゴールシーンＧＳＣ２に続けてユーザプレイリスト提示枠ＵＦに表示することにより、当該ユーザプレイリスト提示枠ＵＦを介してユーザプレイリストの生成過程をユーザに対して目視確認させ得るようになされている。
【０１９０】
このように録画再生装置１の制御部２は、歓声シーンプレイリスト又はゴールシーンプレイリストに対するプレイリスト再生が終了したとき、これまでユーザプレイリストの候補として設定してきた再生区間に相当する第１歓声シーンＷＳＣ１、第２ゴールシーンＧＳＣ２及び第３歓声シーンＷＳＣ３を時系列に並べたユーザプレイリストを完成し、これをハードディスクドライブ１６に保存するようになされている。
【０１９１】
そして録画再生装置１の制御部２は、図２３に示すように、このようにして完成したユーザプレイリストをユーザプレイリスト提示枠ＵＦに表示する一方、歓声シーンプレイリスト提示枠ＷＦ及びゴールシーンプレイリスト提示枠ＧＦを消去することにより、ユーザプレイリストを生成し終わったことをユーザに対して直感的に認識させ得るようになされている。
【０１９２】
このように録画再生装置１の制御部２は、あるタイトルのコンテンツに対して予め生成された歓声シーンプレイリストと、ゴールシーンプレイリストとを実際に切り替えながらプレイリスト再生を行う度に、実際にプレイリスト再生を行った再生区間だけを用いてユーザプレイリストを生成するようになされている。
【０１９３】
［１−７．動作及び効果］
以上の構成において、録画再生装置１の制御部２は、あるタイトルのコンテンツに対して複数種類の属性により生成した歓声シーンプレイリスト又はゴールシーンプレイリストに従ってプレイリスト再生を実行する。
【０１９４】
その際、録画再生装置１の制御部２は、リモコン４のプレイリスト切替ボタン４Ｂに対するユーザの押下操作に応じて、プレイリスト再生の対象を歓声シーンプレイリストとゴールシーンプレイリストとの間で交互に切り替えながら続行する。
【０１９５】
これにより録画再生装置１では、そのときのユーザの嗜好に合致した歓声シーンプレイリスト又はゴールシーンプレイリストをプレイリスト再生中に選択して切り替えることができるので、ユーザ所望のシーンだけを好きなタイミングで目視確認させることができる。
【０１９６】
このとき録画再生装置１の制御部２は、歓声シーンプレイリスト又はゴールシーンプレイリストにおける何番目の再生区間をプレイリスト再生しているかを歓声シーンプレイリスト表示欄ＷＤ及びゴールシーンプレイリスト表示欄ＧＤ（図１２、図１３）を介して提示する。
【０１９７】
これにより録画再生装置１の制御部２は、現在どのプレイリストがプレイリスト再生対象であるかを歓声シーンプレイリスト表示欄ＷＤ及びゴールシーンプレイリスト表示欄ＧＤによりユーザに認識させると共に、その再生位置についても再生マークＰＭ１、ＰＭ２等により視覚的に認識させることができる。
【０１９８】
さらに録画再生装置１の制御部２は、歓声シーンプレイリスト又はゴールシーンプレイリストを交互に切り替えながらユーザ所望の再生区間を複数回プレイリスト再生した場合、その再生履歴に基づいてユーザプレイリストを自動的に生成することができる。
【０１９９】
これにより録画再生装置１の制御部２は、歓声シーンプレイリスト又はゴールシーンプレイリストによるプレイリスト再生を行ったときの再生履歴を用いることにより、ユーザ自身に何ら煩雑な操作をさせることなく、当該ユーザの嗜好に合致した新たなユーザプレイリストをユーザの知らないうちに生成して提供することができる。
【０２００】
この結果、録画再生装置１の制御部２は、歓声シーンプレイリスト、ゴールシーンプレイリストに加えて新たなユーザプレイリストについても、プレイリスト再生の対象として交互に切り替えながらプレイリスト再生を実行することができるようになる。
【０２０１】
さらに録画再生装置１の制御部２は、歓声シーンプレイリスト又はゴールシーンプレイリストを交互に切り替えながらユーザ所望の再生区間をプレイリスト再生しているとき、ユーザのプレイリスト登録ボタン４Ｃに対する押下操作に応じて、その再生区間をユーザプレイリストの候補として設定することにより、手動的にユーザプレイリストを生成することもできる。
【０２０２】
この場合、録画再生装置１では、ユーザプレイリストを自動的に生成するときに比べて、再生履歴として参照する再生区間の再生回数に拘わらず、ユーザの嗜好を直接反映した状態のユーザプレイリストをその場で生成することができる。
【０２０３】
以上の構成によれば、録画再生装置１の制御部２は、歓声シーンプレイリスト又はゴールシーンプレイリストに従ってプレイリスト再生を実行中、プレイリスト切替ボタン４Ｂの押下操作に応じて、プレイリスト再生対象を交互に切り替えることができるので、ユーザ所望のシーンだけを好きなタイミングで目視確認させることができる。
【０２０４】
また録画再生装置１の制御部２は、その際、歓声シーンプレイリスト又はゴールシーンプレイリストに従って何れのプレイリスト再生を実行中であるかを、歓声シーンプレイリスト表示欄ＷＤ及びゴールシーンプレイリスト表示欄ＧＤを介して表示することにより、プレイリスト再生状況をユーザに対して直感的かつ理解させ易く提供することができる。
【０２０５】
＜２．他の実施の形態＞
なお上述した実施の形態においては、プレイリスト再生対象として複数の区切り点ＣＴｎにより再生区間がチャプタとして区切られた歓声シーンプレイリストやゴールシーンプレイリストを用いるようにした場合について述べた。しかしながら、本発明はこれに限らず、区切り点ＣＴｎだけで構成されたプレイリストをプレイリスト再生の対象として用いるようにしても良い。
【０２０６】
また上述した実施の形態においては、図９に示した第２のプレイリスト再生切替処理パターンのように、再生停止位置ＳＴ３が切替先の歓声シーンプレイリストの再生区間と対応しているが、過去にプレイリスト再生を停止した再生停止位置が存在しない場合、その再生区間である第２歓声シーンＷＳＣ２の先頭へ再生位置をジャンプし、そこからプレイリスト再生（ダイジェスト再生）を再開するようにした場合について述べた。
【０２０７】
しかしながら、本発明はこれに限らず、図２４に示すように、再生停止位置ＳＴ３が切替先の歓声シーンプレイリストの再生区間と対応しているが、過去にプレイリスト再生を停止した再生停止位置が存在しない場合であっても、第２歓声シーンＷＳＣ２において再生停止位置ＳＴ３の時点へ再生位置をジャンプし、そこからプレイリスト再生（ダイジェスト再生）を再開するようにしても良い。この場合、録画再生装置１の制御部２は、同一部分の再生映像を重複して表示することを回避することができる。
【０２０８】
さらに上述した実施の形態においては、図１０に示したように、再生停止位置ＳＴ４から最も近い未来側の再生区間であるゴールシーンプレイリストの第３ゴールシーンＧＳＣ３の先頭に再生位置をジャンプし、そこからゴールシーンだけのプレイリスト再生（ダイジェスト再生）を開始するようにした場合について述べた。
【０２０９】
しかしながら、本発明はこれに限らず、図２５に示すように、再生停止位置ＳＴ４から最も近い未来側の再生区間であるゴールシーンプレイリストの第３ゴールシーンＧＳＣ３の先頭までジャンプするのではなく、そのタイトルのコンテンツを早送り再生することにより、再生停止位置ＳＴ４から第３ゴールシーンＧＳＣ３までの間をユーザに目視確認させるようにしても良い。
【０２１０】
この場合、録画再生装置１の制御部２は、歓声シーンプレイリストの第２歓声シーンＷＳＣ２からゴールシーンプレイリストの第３ゴールシーンＧＳＣ３までの間の再生映像をユーザに対して目視確認させることができるので、いきなりシーンが変わって再生映像の流れを理解できなくなる事態を予め回避することができる。
【０２１１】
さらに上述した実施の形態においては、図１０に示したように、再生停止位置ＳＴ４から最も近い過去側の再生区間であるゴールシーンプレイリストの第２ゴールシーンＧＳＣ２の先頭に再生位置をジャンプし、そこからゴールシーンだけのプレイリスト再生（ダイジェスト再生）を開始するようにした場合について述べた。
【０２１２】
しかしながら、本発明はこれに限らず、図２６に示すように、再生停止位置ＳＴ４から最も近い過去側の再生区間であるゴールシーンプレイリストの第２ゴールシーンＧＳＣ２の先頭までジャンプするのではなく、そのタイトルのコンテンツを早戻し再生することにより、再生停止位置ＳＴ４から第２ゴールシーンＧＳＣ２までの間をユーザに目視確認させるようにしても良い。
【０２１３】
この場合、録画再生装置１の制御部２は、歓声シーンプレイリストの第２歓声シーンＷＳＣ２からゴールシーンプレイリストの第２ゴールシーンＧＳＣ２までの間の再生映像をユーザに対して目視確認させることができるので、いきなりシーンが変わって再生映像の流れを理解できなくなる事態を予め回避することができる。
【０２１４】
さらに上述した実施の形態においては、あるコンテンツに対して所定の属性に応じた複数種類のプレイリストを生成し、これらを切り替えながらプレイリスト再生するようにした場合について述べた。しかしながら、本発明はこれに限らず、コンテンツの本編映像だけを集めた本編シーンプレイリストと、本編映像以外のコマーシャル映像だけを集めたＣＭシーンプレイリストとを生成し、交互に切り替えながらプレイリスト再生するようにしても良い。
【０２１５】
この場合、録画再生装置１の制御部２は、図２７（Ａ）に示すように、あるタイトルのコンテンツを通常再生モードで再生中、リモコン４のプレイリスト切替ボタン４Ｂが押下操作されると、次の処理を行う。
【０２１６】
録画再生装置１の制御部２は、図２７（Ａ）及び（Ｂ）に示すように本編シーンプレイリストの第１本編シーンＭＳＣ１の先頭に再生位置をジャンプして本編シーンだけのダイジェスト再生（プレイリスト再生）を開始する。
【０２１７】
そして録画再生装置１の制御部２は、本編シーンプレイリストの第１本編シーンＭＳＣ１の先頭からプレイリスト再生を行っている最中に、リモコン４のプレイリスト切替ボタン４Ｂが押下操作されると、次の処理を行う。
【０２１８】
この場合、録画再生装置１の制御部２は、図２７（Ｂ）及び（Ｃ）に示すように、第１本編シーンＭＳＣ１を再生停止すると共に、その再生停止位置ＳＴ１０のタイムコードを記憶した後、ＣＭシーンプレイリストの第１ＣＭシーンＣＳＣ１の先頭に再生位置をジャンプしてＣＭシーンだけのダイジェスト再生（プレイリスト再生）を開始する。
【０２１９】
さらに上述した実施の形態においては、歓声シーンプレイリスト及びゴールシーンプレイリストを用いて生成したユーザプレイリストを録画再生装置１の制御部２がハードディスクドライブ１６に保存するようにした場合について述べた。しかしながら、本発明はこれに限らず、ネットワーク上のサーバにユーザプレイリストをアップロードし、他のユーザが所有する録画再生装置と当該ユーザプレイリストを共有（シェア）するようにしても良い。
【０２２０】
この場合、他の録画再生装置は、録画再生装置１の制御部２が生成したユーザプレイリストを受け取ってプレイリスト再生に用いる際、ユーザプレイリストのタイムコードと同期を取ることにより、再生区間の微小なズレが生じることを予め回避することができる。
【０２２１】
さらに上述した実施の形態においては、歓声シーンプレイリスト及びゴールシーンプレイリストを用いてユーザの知らないうちに自動的に生成したユーザプレイリストを録画再生装置１の制御部２がハードディスクドライブ１６に保持し、ユーザからの要求に応じてプレイリスト再生時に用いるようにした場合について述べた。
【０２２２】
しかしながら、本発明はこれに限らず、録画再生装置１の制御部２が、ユーザの視聴履歴等に基づくユーザの嗜好を考慮して、例えばサッカーゲームのコンテンツを好むユーザに対しては、サッカーゲームに関して既に生成されているユーザプレイリストを推薦プレイリストとしてリコメンドするようにしても良い。
【０２２３】
さらに上述した実施の形態においては、ユーザプレイリストを生成する際（図１５）、再生回数が２回以上の再生区間の第１歓声シーンＷＳＣ１、第２ゴールシーンＧＳＣ２及び第３歓声シーンＷＳＣ３を時系列順に並べてユーザプレイリストを生成するようにした場合について述べた。
【０２２４】
しかしながら、本発明はこれに限らず、図２８に示すように、録画再生装置１の制御部２は歓声シーンプレイリストとゴールシーンプレイリストとの間で再生回数が２回以上の再生区間が同じ時間帯で重なっていた場合、再生回数の多い方を優先し、第１ゴールシーンＧＳＣ１、第２ゴールシーンＧＳＣ２及び第３歓声シーンＷＳＣ３を時系列順に並べてユーザプレイリストを生成するようにしても良い。
【０２２５】
さらに上述した実施の形態においては、記憶手段としてのハードディスクドライブ１６と、再生手段及びプレイリスト表示制御手段としての制御部２及びビデオ処理部１４と、プレイリスト切替制御手段としての制御部２とによって本発明の情報処理装置としての録画再生装置を構成するようにした場合について述べた。しかしながら、本発明はこれに限らず、その他種々の構成でなる記憶手段、再生手段、プレイリスト表示制御手段及びプレイリスト切替制御手段によって本発明の情報処理装置を構成するようにしても良い。
【産業上の利用可能性】
【０２２６】
本発明の情報処理装置及びプレイリスト表示方法は、テレビジョン番組を録画し、又は再生するブルーレイディスクレコーダのような録画再生装置に用いられる他、コンテンツを再生可能な再生専用の再生装置、例えばパーソナルコンピュータ、携帯電話機、ゲーム機、ＰＤＡ(Personal Digital Assistant)等の電子機器に適用することもできる。
【符号の説明】
【０２２７】
１……録画再生装置、２……制御部、３……バス、４……リモコン、４Ｂ……プレイリスト切替ボタン、４Ｃ……プレイリスト登録ボタン、５……操作部、１１……チューナ部、１２……アンテナ、１３……エンコーダ／デコーダ、１４……ビデオ処理部、１５……オーディオ処理部、１６……ハードディスクドライブ、１７……不揮発性メモリ、１８……光ディスクドライブ、１９……メモリカードインタフェース、２０……ネットワークインタフェース、２１……暗号処理回路、５０……光ディスク、５１……メモリカード、１００……テレビジョン受像機。
【図１】
0005593643.tif 000002
【図２】
0005593643.tif 000003
【図３】
0005593643.tif 000004
【図４】
0005593643.tif 000005
【図５】
0005593643.tif 000006
【図６】
0005593643.tif 000007
【図７】
0005593643.tif 000008
【図８】
0005593643.tif 000009
【図９】
0005593643.tif 000010
【図１０】
0005593643.tif 000011
【図１１】
0005593643.tif 000012
【図１２】
0005593643.tif 000013
【図１３】
0005593643.tif 000014
【図１４】
0005593643.tif 000015
【図１５】
0005593643.tif 000016
【図１６】
0005593643.tif 000017
【図１７】
0005593643.tif 000018
【図１８】
0005593643.tif 000019
【図１９】
0005593643.tif 000020
【図２０】
0005593643.tif 000021
【図２１】
0005593643.tif 000022
【図２２】
0005593643.tif 000023
【図２３】
0005593643.tif 000024
【図２４】
0005593643.tif 000025
【図２５】
0005593643.tif 000026
【図２６】
0005593643.tif 000027
【図２７】
0005593643.tif 000028
【図２８】
0005593643.tif 000029